(57)【要約】本発明の目的は口紅のような棒状体が出入りする前にカバーが自動的に開閉して、使用の利便性を高めたカバーの自動開閉が可能な化粧品ケースを提供することにある。この目的を達成するために、本発明の自動的に開閉するシールモジュールは、中空の内部を有する円筒状の外部ケース；前記外部ケースの内部で棒状体と共にその一部が出入りするシリンダ；及び前記棒状体の出入りが可能に自動的に開閉するシャッタ部材を含み、前記シャッタ部材は、リンクフックを備えるリンク体；前記リンク体と対向位置に形成され、キャップフックを含むキャップ体；前記リンク体と前記キャップ体の外周縁上に段差を有して形成されて前記リンク体の移動を制限するシャッタ顎；前記リンク体と前記キャップ体が対向して形成されるスリット部の端部の内側に形成され、前記シリンダに支持されるスリット内側顎；及び前記リンク体と前記キャップ体にヒンジユニットを通じて一体に回動可能に形成されるカバーを含む。【選択図】図２
2020520286.tif 000002
【特許請求の範囲】
【請求項１】
中空の内部を有する円筒状の外部ケース；
前記外部ケースの内部で棒状体と共にその一部が出入りするシリンダ；及び
前記棒状体の出入りが可能に自動的に開閉するシャッタ部材を含み、
前記シャッタ部材は、リンクフックを備えるリンク体；
前記リンク体と対向位置に形成され、キャップフックを含むキャップ体；
前記リンク体と前記キャップ体の外周縁上に段差を有して形成されて前記リンク体の移動を制限するシャッタ顎；
前記リンク体と前記キャップ体が対向して形成されるスリット部の端部の内側に形成され、前記シリンダに支持されるスリット内側顎；及び
前記リンク体と前記キャップ体にヒンジユニットを通じて一体に回動可能に形成されるカバーを含む自動的に開閉するシールモジュール。
【請求項２】
前記シャッタ部材の一端側に設けられるＯリングを更に含むことを特徴とする請求項１に記載の自動的に開閉するシールモジュール。
【請求項３】
前記シャッタ部材の前記カバーにはパッキンが更に設けられることを特徴とする請求項１に記載の自動的に開閉するシールモジュール。
【請求項４】
請求項１乃至３のいずれかに記載のシールモジュールを含むことを特徴とするシールモジュールを用いた化粧品ケース。
【請求項５】
前記シールモジュールを構成する前記シリンダの一部を内部に含み、前記外部ケースに結合されるように中空の内部を有する円筒状の本体；前記本体の内部に設けられ、スクリュー部が形成されて回転動作時前記棒状体の前進を助ける回転体；及び前記スクリュー部の外側に設けられ、前記回転体の回転運動によって直線移動が可能に構成され、前記棒状体の先端に位置するピストンを更に含むことを特徴とする請求項４に記載のシールモジュールを用いた化粧品ケース。
【請求項６】
前記本体はその一端部側に対向して形成され、横に弾性的に位置移動可能な一対のスリット突起と、前記スリット突起のスリット部に形成されたガイド突起を含み、
前記外部ケースは前記スリット突起が位置した後回転する時に、弾性的に位置移動して前記ガイド突起と共に移動できるように、内部に長さ方向に形成された段差ガイド溝を含み、
前記段差ガイド溝が終了する前記外部ケースの内部中央側には内環部が形成されることを特徴とする請求項５に記載のシールモジュールを用いた化粧品ケース。
【請求項７】
前記回転体の一部の外周面には前記スクリュー部が形成され、その端部側にはナーリング加工した回転ノブが形成されることを特徴とする請求項５に記載のシールモジュールを用いた化粧品ケース。
【請求項８】
前記ピストンの一端は前記棒状体が当接するように閉鎖されており、外周縁には長さ方向に沿って一対のピストンスリット溝部が形成され、内周面には前記回転体のスクリュー部に螺合するように環状のねじ山が形成され、
前記シリンダは前記ピストンスリット溝部に挿入されて前記回転体のスクリュー部の回転により直線移動可能に案内するように円筒状の内周面に形成されたシリンダガイド突起；前記シャッタ部材の復帰を助けるように外周縁上に形成された一対のシリンダ突起；及び前記シリンダ突起に近接した位置で対向した状態で、他の位置に形成されて前記シャッタ部材の移動を助けるシリンダ溝部を含むことを特徴とする請求項５に記載のシールモジュールを用いた化粧品ケース。
【発明の詳細な説明】
【技術分野】
【０００１】
本発明は自動的に開閉するシールモジュール及びシールモジュールを用いた化粧品ケースに関するもので、より詳細には、口紅のような長い棒状の化粧品が出入り動作を行う前に自動的にカバーが開閉するようになった自動的に開閉するシールモジュール及びシールモジュールを用いた化粧品ケースに関するものである。
【背景技術】
【０００２】
一般的に、口紅（ｌｉｐｓｔｉｃｋ）は唇に色調や質感を与えるために塗る化粧品の一種であって、顔料、油、ワックス及び軟化剤などを原料として使用する。このような口紅は固形になったスティックタイプの口紅、液状やクリームタイプになったリップグロスやクリームタイプのリップクリームなどに区分される。
【０００３】
一方、スティックタイプの口紅はケースに固定して使用する。このような口紅ケースは成形した口紅内容物の固定方式によって、上方から内容物を挿入して固定するフロントインサートタイプ、溶融状態の内容物を上方から注入した状態で冷却させるフロント充填タイプ、または下方から注入して冷却させるバック充填タイプの口紅ケースに区分することができる。
【０００４】
ケースは口紅の内容の注入方法によって外観に差があるが、このようなケースを使用する方法はほぼ同じである。
【０００５】
このような口紅ケースの最も一般的な一例が図１に示されている。図１は従来技術による口紅ケースを概略的に示す斜視図である。
【０００６】
図１を参照すると、従来技術による口紅ケースは、ケース本体１、及びケース本体１に回転可能に設けられる口紅保護チューブ２を含む。
【０００７】
口紅ホルダー３が口紅保護チューブ２の内側に位置して、口紅保護管２内で垂直方向に直線移動する。また、唇に色調や質感を与えるための口紅４が前記口紅ホルダー３に搭載される。前記ケース本体１上には口紅保護チューブ２を完全に覆って口紅４が異物により汚染されることを防止することができるキャップ５が位置する。
【０００８】
口紅保護チューブ２の回転運動によって口紅ホルダー３が口紅保護チューブ２の垂直方向に直線移動すると、前記口紅４はケース本体１から出入りする。
【０００９】
しかし、キャップ５を紛失した場合は、口紅４が外部に露出して汚染されるため、使用できない問題がある。
【００１０】
従って、他の先行技術として韓国実用新案登録第２０−０４１６５３１号は、回転を通じて棒状の口紅を出入りして使用できるようにした口紅容器に関するもので、より具体的には、口紅容器は棒状の口紅が結合された容器の上段が口紅の出入りと同時に自動的に開閉するようにした自動開閉手段を有する口紅容器を提供する。口紅容器は装飾帯によって上部と下部に区分され、内面の上部と下部には第１及び第２ガイドレールが形成された装飾容器；前記装飾容器の下部に回転可能に結合される外部容器；前記装飾容器の内部に収容され、その下端を通じて外部容器と固定的に結合されて同時に回転するようになり、上部に形成された第３ガイドレールと下部に形成された第４ガイドレールを有する内部容器；前記内部容器に収容された状態で棒状の口紅が挿入されて結合され、対称する両側面に形成された第１ガイド突起を有するピストン；前記装飾容器と内部容器との間に結合される垂直作動容器であって、その上段両側のヒンジ軸には内部容器の上段を開閉するオーバーキャップが結合され、前記ヒンジ軸の下部には第５ガイドレールが形成され、前記第５ガイドレールの下部内面には第２ガイド突起が突出し、下部外面には第３ガイド突起が突設される、垂直作動容器；及び前記装飾容器の上部に固定結合される外部キャップを含。外部キャップの上段は前記オーバーキャップの外周縁を密閉カバーすると共に、その中央にはピストンに結合された口紅が出入りするように出入口が形成される。
【００１１】
しかし、前記口紅容器は構造が複雑であり、動作が不安定な問題がある。
【先行技術文献】
【特許文献】
【００１２】
【特許文献１】韓国実用新案登録第２０−０４１６５３１号公報（２００６年０５月１６日公告）
【特許文献２】韓国実用新案登録第２０−０２５５１３５号公報（２００１年１２月１３日公告）
【発明の概要】
【発明が解決しようとする課題】
【００１３】
前述したような従来の問題点を解決するためになされた本発明の目的は、口紅のような棒状体が出入りする前にカバーが自動的に開閉して、使用の利便性を高めた自動的に開閉するシールモジュール及びシールモジュールを用いた化粧品ケースを提供することにある。
【００１４】
本発明の他の目的は、自動的に開閉するカバーを通じて棒状体が出入りする際に干渉を防止し、汚染を防止することができる自動的に開閉するシールモジュール及びシールモジュールを用いた化粧品ケースを提供することにある。
【課題を解決するための手段】
【００１５】
前述した目的を達成するための本発明に係る自動的に開閉するシールモジュールは、中空の内部を有する円筒状の外部ケース；前記外部ケースの内部で棒状体と共にその一部が出入りするシリンダ；及び前記棒状体の出入りが可能に自動的に開閉するシャッタ部材を含み、前記シャッタ部材は、リンクフックを備えるリンク体；前記リンク体と対向位置に形成され、キャップフックを含むキャップ体；前記リンク体と前記キャップ体の外周縁上に段差を有して形成されて前記リンク体の移動を制限するシャッタ顎；前記リンク体と前記キャップ体が対向して形成されるスリット部の端部の内側に形成され、前記シリンダに支持されるスリット内側顎；及び前記リンク体と前記キャップ体にヒンジユニットを通じて一体に回動可能に形成されるカバーを含む。
【００１６】
本発明の実施形態によれば、前記シャッタ部材の一端側に設けられるＯリングを更に含むことができる。
【００１７】
本発明の実施形態によれば、前記シャッタ部材の前記カバーにはパッキンが更に設けられることができる。
【００１８】
本発明の実施形態によれば、前記シールモジュールを構成する前記シリンダの一部を内部に含み、前記外部ケースに結合されるように中空の内部を有する円筒状の本体；前記本体の内部に設けられ、スクリュー部が形成されて回転動作時前記棒状体の前進を助ける回転体；及び前記スクリュー部の外側に設けられ、前記回転体の回転運動によって直線移動が可能に構成され、前記棒状体の先端に位置するピストンを更に含むことことができる。
【００１９】
本発明の実施形態によれば、前記本体はその一端部側に対向して形成され、横に弾性的に位置移動可能な一対のスリット突起と、前記スリット突起のスリット部に形成されたガイド突起を含み、前記外部ケースは前記スリット突起が位置した後回転する時に、弾性的に位置移動して前記ガイド突起と共に移動できるように、内部に長さ方向に形成された段差ガイド溝を含み、前記段差ガイド溝が終了する前記外部ケースの内部中央側には内環部が形成されることができる。
【００２０】
本発明の実施形態によれば、前記回転体の一部の外周面には前記スクリュー部が形成され、その端部側にはナーリング加工した回転ノブが形成されることができる。
【００２１】
本発明の実施形態によれば、ピストンには、前記ピストンの一端は前記棒状体が当接するように閉鎖されており、外周縁には長さ方向に沿って一対のピストンスリット溝部が形成され、内周面には前記回転体のスクリュー部に螺合するように環状のねじ山が形成され、前記シリンダは前記ピストンスリット溝部に挿入されて前記回転体のスクリュー部の回転により直線移動可能に案内するように円筒状の内周面に形成されたシリンダガイド突起；前記シャッタ部材の復帰を助けるように外周縁上に形成された一対のシリンダ突起；及び前記シリンダ突起に近接した位置で対向した状態で、他の位置に形成されて前記シャッタ部材の移動を助けるシリンダ溝部を含むことができる
【発明の効果】
【００２２】
本発明に係る自動的に開閉するシールモジュール及びシールモジュールを用いた化粧品ケースによれば、口紅のような棒状体が出入りする前にカバーが自動的に開閉して、使用の利便性を高め、安定性を向上させる効果がある。
【００２３】
また、自動的に開閉するカバーを通じて棒状体が出入りする際に干渉を防止し、汚染を防止するできるようになって、製品の安定性と信頼性が向上する効果がある。
【発明を実施するための最良の形態】
【００２４】
以下、添付図面を参照して本発明の実施形態について本発明が属する技術分野で通常の知識を有する者が容易に実施することができるように詳しく説明する。しかしながら、本発明は多様な異なる形態で実現することができ、ここで説明する実施形態に限定されない。図面において、本発明を明確に説明するために、説明上不要な部分は省略し、明細書全体を通して同一または類似する構成要素については同一の参照符号を付した。
【００２５】
本発明の明細書全体で、ある部分がある構成要素を「含む」という時、これは特に反対の記載がない限り、他の構成要素を除くのではなく、他の構成要素を更に含むことができることを意味する。
【００２６】
図面で、図１は従来の口紅ケースを示す図であり、図２は本発明に係る化粧品ケースの分解斜視図であり、図３は本発明に係るピストンの内部を示す斜視図であり、図４は本発明に係るシリンダの内部を示す斜視図であり、図５は本発明に係る外部ケースの内部を示す斜視図であり、図６は本発明に係るシャッタ部材を示す正面図であり、図７は本発明に係る化粧品ケースが閉じた状態を示す正面図であり、図８は本発明に係る化粧品ケースが閉じた状態を示す断面図であり、図９は本発明に係る化粧品ケースの動作手順１を示す側面図であり、図１０は本発明に係る化粧品ケースの動作手順１を示す断面図であり、図１１は本発明に係る化粧品ケースの動作手順２を示す側面図であり、図１２は本発明に係る化粧品ケースの動作手順２を示す断面図であり、図１３は本発明に係る化粧品ケースの動作手順２を示す側面図であり、図１４は本発明に係る化粧品ケースの動作手順２を示す断面図であり、図１５は本発明に係る化粧品ケースのカバーが開放された後、閉じる動作を説明するための側面図であり、図１６は本発明に係る化粧品ケースのカバーが開放された後、閉じる動作を説明するための断面図である。
【００２７】
図２に示すように、本発明に係るカバーの自動開閉が可能な化粧品ケースは大きく、外部ケース１１０、シリンダ１２０、シャッタ部材１４０、及びＯリング１３０を備える シールモジュール１００を含む。このシールモジュール１００が適用されて連動する化粧品ケースは、円筒状の本体２００、本体２００の内部に設けられる回転体２１０、及び回転体２１０の外側に設けられるピストン２２０を含むことができる。
【００２８】
ここで、化粧品ケースは、口紅、リップクリーム、リップグロス、 リップティント、インクカートリッジなどの長い棒状のケースであり、その種類はいずれか一つに限定されない。棒状体３００は一例として、任意タイプの口紅であり得る。
【００２９】
まず、図２を参照して化粧品ケースを説明する。説明の便宜のために、シールモジュール１００だけでなく、化粧品ケースを構成する本体２００、回転体２１０、及びピストン２２０を組み立て手順または連動関係に基づいて説明する。図２に示すように、本体２００は合成樹脂材や金属材で射出成形するか、またはモールド成形方式で製作することができ、中空型チューブまたは円筒状チューブの形状を有することができる。
【００３０】
本体２００は、その一端部に対向するように形成された一対のスリット突起２０２と、このスリット突起２０２の両側に一定の長さに形成されたスリットを含むことができる。即ち、スリット突起２０２は両側のスリット空間を通じて強制的な回転動作の際、横に弾性力を受けて位置移動することができる。
【００３１】
そして、スリット突起２０２を中心にいずれかのスリットの端部にはガイド突起２０４が形成されることができ、これは本体の表面から一定の高さに突出する。
【００３２】
スリット突起２０２とガイド突起２０４は同じ高さに突出し、スリット突起２０２はその弾性移動時、ガイド突起２０４と一直線上に位置することができる。
【００３３】
次に、図５を参照して本体２００と共に外部本体を構成するシールモジュール１００の外部ケース１１０を先ず説明する。
【００３４】
外部ケース１１０もやはり合成樹脂材や金属材で射出成形するか、またはモールド成形方式で製作することができ、中空型チューブまたは円筒状チューブの形状を有することができる。この時、外部ケースは本体２００の外径より大きな外径を有することができ、前端部には組み立て性の向上と共に、シャッタ部材１４０の移動を制限することができるように、ネジや緊密嵌合方式で結合できる外部マウント１１１を含むことができる。
【００３５】
ここで、外部マウント１１１と締結される外部ケース１１０の内側には一定の深さに内部段差（図２の１１２）が形成されることができる。
【００３６】
また、外部ケース１１０の内部に長さ方向に段差ガイド溝１１４が形成されることができ、これはスリット突起２０２が最初に位置した後回転する時に、弾性的に位置移動して外部ケースがガイド突起２０４と共に移動することができる。
【００３７】
段差ガイド溝１１４は約Ｌ状に形成され、スリット突起２０２が曲がった部分に位置して移動が阻止された状態で強制的な回転動作の際に、弾性的に曲がりながらスリット突起２０２とガイド突起２０４が一直線になって長さ方向に移動することが可能になる。
【００３８】
また、段差ガイド溝１１４が終了する外部ケース１１０の内部中央部分には内環部１１６が形成されることができ、これは内部面から一定の高さに突出する。
【００３９】
内環部１１６は以下で説明するＯリング  １３０が位置することができる。
【００４０】
再び図２を参照すると、Ｏリング  １３０は、本体２００との気密性を維持するための手段であって、通常の水密や気密手段に使用するゴム、シリコン、軟質のプラスチックのうち、いずれかの材質で製作され、高剛性のため圧着が不可能な流動体に対する高い表面張力でその原型を維持しようとするエラストマーの特性によって、優れた縫合力を有するようになる。
【００４１】
また、回転体２１０は回転動作によって実質的に棒状体３００の前進を助けるものであり、合成樹脂材や金属材で製造することができる。
【００４２】
回転体２１０は図２に示すように、化粧品ケースの全長のうち、３分の２に相当する長さを有する。回転体２１０はその一部の外周面に形成されたスクリュー部２１２と、一端部に形成され、滑り止めのためにナーリング加工した回転ノブ２１４を含むことができる。
【００４３】
スクリュー部２１２は好ましくは、回転体の全長の１／２の以上にわたって形成することができ、円周方向に沿って連続的に形成することもでき、両端が垂直面で切断された形態を有することもできる。
【００４４】
更に、図に示さなかったが、回転ノブ２１４には一方向の回転が可能に突起を形成することができる。
【００４５】
そして、図３に示すように、ピストン２２０はスクリュー部２１２の外側に設けられて、回転する回転体２１０を直線移動可能に案内する役割をし、合成樹脂材や金属材で射出成形するか、またはモールド成形方式で製作することができる。
【００４６】
中空の管状になったピストン２２０はその一端が閉鎖されている。この時、金型の構造上、閉鎖端をピストンと一体に形成することが難しい。そのため、別のキャップ１５１を緊密嵌合方式でピストンの一端内に挿入して閉鎖する。棒状体３００はキャップの一側に当接した状態で、それによって支持されることができる。
【００４７】
そして、ピストンの外周縁には一対のピストンスリット溝部２２２が長さ方向に沿って形成されている。
【００４８】
ここで、ピストンスリット溝部２２２は以下で説明するシリンダ１２０のシリンダガイド突起１２２が挿入されて、回転体の回転時にピストンが直線移動可能に案内する役割をする。
【００４９】
そして、ピストン２２０の他端に形成された開口近くの内周面には回転体２１０のスクリュー部２１２に螺合されるように環状のねじ山２２４が形成されることができる。
【００５０】
次に、図４を参照してシリンダ１２０を説明する。図４に示すように、シリンダはピストン２２０の外側に設けられて、棒状体３００と共にその一部が外部に出入りする部品である。
【００５１】
シリンダもやはり合成樹脂材や金属材で射出成形するか、またはモールド成形方式で製作することができ、ピストン２２０と同様に、内部には棒状体３００が配置される。回転体２１０の回転程度によって棒状体はシリンダ１２０から所定の長さに外部に突出することができる。
【００５２】
シリンダはピストンスリット溝部２２２に挿入されて回転体２１０のスクリュー部２１２の回転によって直線移動可能に案内するように、内周面に長さ方向に形成されるシリンダガイド突起１２２と、シャッタ部材１４０の復帰を助けるように外周面上に形成された一対のシリンダ突起１２４を有する。シリンダ突起１２４の近くでそれと直交する方向に互いに異なる位置には対向するシリンダ溝部１２６が形成されて、シャッタ部材１４０の移動を助ける。
【００５３】
ここで、二つのシリンダ溝部１２６のうち、いずれか一つはピストン２２０が挿入される前端側に位置し、他の一つはシリンダ溝部より下側に位置することで、対向する位置ではなく、斜め方向に位置することができる。
【００５４】
図２乃至図６に示すように、シャッタ部材１４０は棒状体３００の出入りが可能に、自動的に開閉するもので、対向するキャップ体１４２とリンク体１４４、及びキャップ体１４２とリンク体１４４にヒンジ結合されるカバー１４７を含むことができる。
【００５５】
リンク体１４４には一定の位置にリンクフック１４４ａが形成され、リンク体１４４と対向する位置にはリンクフックと同様の形状を有するキャップフック１４２ａが形成されることができる。
【００５６】
ここで、キャップフック１４２ａはリンクフック１４４ａより相対的に上部レベルに形成され、各リンクフック１４４ａとキャップフック１４２ａから同一の距離離間して、リンク体１４４とキャップ体１４２の外周縁上に段差を有してシャッタ顎１４８が形成され、このシャッタ顎１４８はリンク体１４４の移動を制限する役割をする。
【００５７】
また、リンク体１４４とキャップ体１４２が向き合った状態で長さ方向に沿って空間であるスリット部が形成され、このスリット部の一端内側にはスリット内側顎１４５が形成され、シリンダ１２０のシリンダ突起１２４の移動を制限するように支持することができる。
【００５８】
そして、リンク体１４４とキャップ体１４２は一体に連結されたヒンジユニット１４６を通じて回動可能にカバー１４７を形成する。カバー１４７は長さ方向に移動した後、ヒンジユニット１４６を通じて回動しながら開放するように動作する。
【００５９】
また、カバー１４７は外部の衝撃から保護するために、ゴム材や合成樹脂材のパッキン１４９を更に設けることができる。
【００６０】
パッキン１４９はカバー１４７と同じ面積、またはそれよりわずかに大きな面積で形成され、突起などを通じて緊密嵌合方式でカバー１４７に設けることができる。
【００６１】
以上のような構成の本発明に係るカバーの自動開閉が可能なスティックタイプの化粧品ケースの動作を、図７乃至図１６を参照して説明する。
【００６２】
図７及び図８は化粧品ケースを閉じた状態で携帯したり、安全に保管することができる場合を示している。
【００６３】
そして、図９及び図１０において、最初の動作で、先ずユーザが本体２００を一方向に回転させると、スリット突起２０２が一方向に曲がってガイド突起２０４と共に一直線の状態になって、外部ケース１１０の段差ガイド溝１１４に誘導される準備ができる。
【００６４】
続いて、本体２００と外部ケース１１０を対向する方向に互いにスライドさせると、一直線上のスリット突起２０２とガイド突起２０４が段差ガイド溝１１４に沿って移動することで、外部ケース１１０の内部に配置したシリンダ１２０、棒状体３００、及びシャッタ部材１４０のそれぞれの一部が外部に露出する。
【００６５】
このような状態で、図１１及び図１２に示すように、外部ケース１１０と本体２００を対向する方向に互いに更にスライドさせると、シャッタ部材１４０とキャップ体１４２のキャップフック１４２ａが干渉して押えられながらシリンダ１２０のシリンダ溝部１２６に位置していたキャップフック１４２ａはシリンダ溝部１２６から離脱して、外部ケース１１０の内部段差１１２側に位置する。これと同時に、キャップ体１４２側のシャッタ顎１４８が外部マウント１１１の端部側に当接して、これ以上の移動が阻止される。引き続いて押す作用によってリンク体１４４が移動することで、ヒンジユニット１４６によって連結されたカバー１４７を開放させる。
【００６６】
次に、図１３及び図４１４を参照すると、カバー１４７が開放した状態でリンク体１４４側のシャッタ顎１４８も外部マウント１１１によって移動が阻止される。この状態で、スリット突起２０２とガイド突起２０４が段差ガイド溝１１４に沿って引き続き移動して、外部ケース１１０の内環部１１６によってその移動が阻止され、本体は停止するようになる。この状態になると、シリンダ１２０とピストン２２０の前端に位置していた棒状体３００の一部が長さ方向に突出する。
【００６７】
この場合、シリンダ１２０から突出する棒状体３００の前進長さを調節することができる。即ち、回転体２１０の回転ノブ２１４をユーザが把持した状態で一方向に回転させると、ノブの回転運動はピストン２２０のピストンスリット溝部２２２に挿入されたシリンダ１２０のシリンダガイド突起１２２によって直線移動に変換され、ピストン２２０を押すようになって棒状体３００を前進させる。
【００６８】
一方、カバー１４７を閉じる動作は前進動作と逆の順序で行われる。図１５及び図１６に示すように、本体２００と外部ケース１１０を互いに離れる方向に引っ張る。この過程で、シャッタ部材１４０が移動しながらスリット内側顎１４５がシリンダ１２０のシリンダ突起１２４に接触して支持され、外部ケース１１０が移動するようになる。外部ケースの移動はシャッタ部材１４０の端部がＯリング１３０に接触する地点であり得る。
【００６９】
上述したように、本発明の実施形態に係るカバーの自動開閉が可能なスティックタイプの化粧品ケースによれば、口紅のような棒状体が出入りする前にカバーが自動的に開閉して使用の利便性を高め、安定性を向上させることができる。
【００７０】
また、自動的に開閉するカバーを通じて棒状体が出入りする際に干渉を防止し、汚染を防止することができるので、製品の安定性と信頼性が向上することができる。
【００７１】
以上で説明したような本発明は前述した実施形態に限定されないので、請求範囲で請求する本発明の要旨を逸脱しない範囲内で変更可能であり、そのような変更は記載された請求範囲内に属する。
【図面の簡単な説明】
【００７２】
【図１】従来の口紅ケースを示す図である。
【図２】本発明に係る化粧品ケースの分解斜視図である。
【図３】本発明に係るピストンの内部を示す斜視図である。
【図４】本発明に係るシリンダの内部を示す斜視図である。
【図５】本発明に係る外部ケースの内部を示す斜視図である。
【図６】本発明に係るシャッタ部材を示す正面図である。
【図７】本発明に係る化粧品ケースが閉じた状態を示す正面図である。
【図８】本発明に係る化粧品ケースが閉じた状態を示す断面図である。
【図９】本発明に係る化粧品ケースの動作手順１を示す側面図である。
【図１０】本発明に係る化粧品ケースの動作手順１を示す断面図である。
【図１１】本発明に係る化粧品ケースの動作手順２を示す側面図である。
【図１２】本発明に係る化粧品ケースの動作手順２を示す断面図である。
【図１３】本発明に係る化粧品ケースの動作手順２を示す側面図である。
【図１４】本発明に係る化粧品ケースの動作手順２を示す断面図である。
【図１５】本発明に係る化粧品ケースのカバーが開放された後、閉じる動作を説明するための側面図である。
【図１６】本発明に係る化粧品ケースのカバーが開放された後、閉じる動作を説明するための断面図である。
【符号の説明】
【００７３】
１００  シールモジュール
１１０  外部ケース
１１１  外部マウント
１１２  内部段差
１１４  段差ガイド溝
１１６  内環部
１２０  シリンダ
１２２  シリンダガイド突起
１２４  シリンダ突起
１２６  シリンダ溝部
１３０  Ｏリング
１４０  シャッタ部材
１４２  キャップ体
１４２ａ  キャップフック
１４４  リンク体
１４４ａ  リンクフック
１４５  スリット内側顎
１４６  ヒンジユニット
１４７  カバー
１４８  シャッタ顎
１４９  パッキン
２００  本体
２０２  スリット突起
２０４  ガイド突起
２１０  回転体
２１２  スクリュー部
２１４  回転ノブ
２２０  ピストン
２２２  ピストンスリット溝部
２２４  ねじ山
３００  棒状体
【図１】
2020520286.tif 000003
【図２】
2020520286.tif 000004
【図３】
2020520286.tif 000005
【図４】
2020520286.tif 000006
【図５】
2020520286.tif 000007
【図６】
2020520286.tif 000008
【図７】
2020520286.tif 000009
【図８】
2020520286.tif 000010
【図９】
2020520286.tif 000011
【図１０】
2020520286.tif 000012
【図１１】
2020520286.tif 000013
【図１２】
2020520286.tif 000014
【図１３】
2020520286.tif 000015
【図１４】
2020520286.tif 000016
【図１５】
2020520286.tif 000017
【図１６】
2020520286.tif 000018
【国際調査報告】
2020520286.tif 000019
2020520286.tif 000020
2020520286.tif 000021
2020520286.tif 000022